(57)【要約】      （修正有）【課題】ズボンを購入したユーザーの誰でも、その裾丈を容易に便利良く調整できるズボンの裾丈調整装置を提供する。【解決手段】裾丈の長い基布１１と、その基布１１から付属一体的に垂下する裾丈の短かい裏布１２とを備え、係脱可能な雌雄一対から成る係止具１６、１７の何れか一方１６を基布１１における下端部の表面へ、その複数個の全体的なほぼ放射対称分布型に取り付けると共に、係止具１６、１７の他方１７を裏布１２における下端部の表面と中途高さ位置の表面へ少なくとも上下二段として、基布１１側の係止具１６と対応する複数個づつの全体的なほぼ放射対称分布型に取り付けて、基布１１の下端部を裏側へ折り返すことによって裏向くこととなる基布１１側の係止具１６と、裏布１２の下端部又は中途高さ位置から常時表向く状態にある裏布側の係止具１７とを、選択的に係止使用するように定めた。【選択図】図５
0003211643.tif 000002
【実用新案登録請求の範囲】
【請求項１】
裾丈の長い基布と、その基布から付属一体的に垂下する裾丈の短かい裏布とを備え、
係脱可能な雌雄一対から成る係止具の何れか一方を上記基布における下端部の表面へ、その複数個の全体的なほぼ放射対称分布型に取り付けると共に、
上記係止具の他方を上記裏布における下端部の表面と中途高さ位置の表面へ少なくとも上下二段として、上記基布側の係止具と対応する複数個づつの全体的なほぼ放射対称分布型に取り付けて、
上記基布の下端部を裏側へ折り返すことによって裏向くこととなる基布側の係止具と、上記裏布の下端部又は中途高さ位置から常時表向く状態にある裏布側の係止具とを、選択的に係止使用するように構成したことを特徴とするズボンの裾丈調整装置。
【請求項２】
裏布側の係止具が取り付けられる裏布の中途高さ位置を、その裏布の下端部から基布の裾丈と裏布の裾丈との長短差にほぼ等しい間隔距離を保つ位置に設定したことを特徴とする請求項１記載のズボンの裾丈調整装置。
【請求項３】
基布の裏側へ折り返す折り目をシャープな稜線からＶ字状に折り返すことができるように、その基布の裏側から水平な癖付け部を与えたことを特徴とする請求項１記載のズボンの裾丈調整装置。
【請求項４】
係脱可能な雌雄一対の係止具をハトメホックとして、その何れか一方の合計３個を基布における裏側への折り返し重合下端部へ取り付け固定し、
残る他方の合計３個づつを裏布における表側への折り返し重合下端部と、中途高さ位置の添え膜片が介在する部分へ各々取り付け固定したことを特徴とする請求項１記載のズボンの裾丈調整装置。
【請求項５】
裏布の上部を一枚物の網布とし、同じく下部を織布から成る係止具用取付ベース帯域として、その互いの連続状態に縫い付けると共に、
織布から成る基布の中途高さ位置へ上端部付近が溶着一体化された上記係止具用取付ベース帯域の下端部と中途高さ位置に、すべて同じ複数個づつの係止具を少なくとも上下二段として点在分布させたことを特徴とする請求項１記載のズボンの裾丈調整装置。
【考案の詳細な説明】
【技術分野】
【０００１】
本考案はズボンを購入したユーザーの誰でも、その裾丈（股下の長さ）を容易に便利良く調整できるズボンの裾丈調整装置に関する。
【背景技術】
【０００２】
裾丈（股下の長さ）を調整できるズボンが、特許文献１、２に開示されている。これらに記載の構成では、裾丈を調整するための止め具や縫着部が、ズボンの表面に露出せず、その外観体裁を阻害しないようになっている点で、本考案に最も近似する公知技術であると考えられる。
【先行技術文献】
【特許文献】
【０００３】
【特許文献１】実用新案登録第３１９１７４３号公報
【特許文献２】実用新案登録第３１２５８７０号公報
【考案の概要】
【考案が解決しようとする課題】
【０００４】
ところが、特許文献１に記載の構成では図２のように、内布（２）の内側（裏側）へ固定した一方の止着具（４）と、基布（１）における先端（下端）の内側（裏側）へ固定した他方の止着具（５）とを、図５のように基布（１）の先端を内側へ折り返すことにより向かい合わせて、着脱自在に止着している。
【０００５】
そのため、内布（２）の先端（下端）を内側（裏側）から被覆する基布（１）の折返し部（６）が、その内布（２）の内側（裏側）へ張り出す言わば段差部を形成することになる結果、ズボンの着用時に上方から挿入する足が、その基布（１）の折返し部（６）に引っ掛かって、強制的に押し下げてしまうのであり、甚だ煩らわしく不便であると共に、その止着具（４）（５）同士の止着状態を解除させてしまうことになる。
【０００６】
また、基布（１）における先端（下端）の止着具（５）を内布（２）の上端に位置する止着具（４）と止着した場合、図８から明白なように、基布（１）の下端部が基布（１）のみならず内布（２）をも折り返して、内側（裏側）から包み込むこととなるため、その下端部が二重の円弧状に弯曲して嵩張るのであり、折り目をシャープな稜線として癖付けることができず、見栄えが悪くなる。このことは、防水性を求められる雨衣のズボンにおいて、特に顕著となる。
【０００７】
他方、特許文献２に記載の構成では図３のように、表地（１１）における内側への表地折返し部（１１ｂ）が、裏地（２１）によって内側（裏側）から被覆されているため、特許文献１の上記問題を生じないとしても、その表地（１１）における内側への表地折返し部（１１ｂ）と、裏地（２１）における外側への裏地折返し部（２１ｂ）とを対面させて、糸又は紐（３１）（３３）（３５）により縫い合わせ固定しているため、ズボンを購入したユーザーの誰もが、そのズボンの裾丈（股下の長さ）を自由に調整することができない。
【０００８】
この特許文献２に記載の構成は、店頭においてズボン購入者から裾丈の調整依頼を受け、その購入者のみに適合した調整を行うためのものであり、一旦調整した状態を糸又は紐（３１）（３３）（３５）により縫い合わせ固定してしまえば、もはや再調整することができない。
【０００９】
つまり、表地（１１）の裏面（１１ｃ）へ裏地（２１）の基端（上端）を、糸（５１）によって先に縫い付けてしまうと、上記表地折返し部（１１ｂ）と裏地折返し部（２１ｂ）との糸又は紐（３１）（３３）（３５）による縫い合わせ固定を行うことができないので、表地（１１）に対して裏地（２１）の基端（上端）を糸（５１）により縫い付けることは、必らず最後に行わなければならない。
【００１０】
更に言えば、表地（１１）における内側への表地折返し部（１１ｂ）と、裏地（２１）における外側への裏地折返し部（２１ｂ）とを縫い合わせ固定しているため、いたずらに膨らむ（嵩張る）重合状態となり、表地折返し部（１１ｂ）の下端（１１ｄ）のみならず、裏地折返し部（２１ｂ）の下端（２１ｄ）をも癖付けしないと、シャープな稜線の折り目を得られないのであり、外観体裁を阻害する。
【課題を解決するための手段】
【００１１】
本考案はこのような諸問題の改良を目的としており、その目的を達成するために、請求項１では裾丈の長い基布と、その基布から付属一体的に垂下する裾丈の短かい裏布とを備え、
【００１２】
係脱可能な雌雄一対から成る係止具の何れか一方を上記基布における下端部の表面へ、その複数個の全体的なほぼ放射対称分布型に取り付けると共に、
【００１３】
上記係止具の他方を上記裏布における下端部の表面と中途高さ位置の表面へ少なくとも上下二段として、上記基布側の係止具と対応する複数個づつの全体的なほぼ放射対称分布型に取り付けて、
【００１４】
上記基布の下端部を裏側へ折り返すことによって裏向くこととなる基布側の係止具と、上記裏布の下端部又は中途高さ位置から常時表向く状態にある裏布側の係止具とを、選択的に係止使用するように構成したことを特徴とする。
【００１５】
また、請求項２では裏布側の係止具が取り付けられる裏布の中途高さ位置を、その裏布の下端部から基布の裾丈と裏布の裾丈との長短差にほぼ等しい間隔距離を保つ位置に設定したことを特徴とする。
【００１６】
請求項３では基布の裏側へ折り返す折り目をシャープな稜線からＶ字状に折り返すことができるように、その基布の裏側から水平な癖付け部を与えたことを特徴とする。
【００１７】
請求項４では係脱可能な雌雄一対の係止具をハトメホックとして、その何れか一方の合計３個を基布における裏側への折り返し重合下端部へ取り付け固定し、
【００１８】
残る他方の合計３個づつを裏布における表側への折り返し重合下端部と、中途高さ位置の添え膜片が介在する部分へ各々取り付け固定したことを特徴とする。
【００１９】
更に、請求項５では裏布の上部を一枚物の網布とし、同じく下部を織布から成る係止具用取付ベース帯域として、その互いの連続状態に縫い付けると共に、
【００２０】
織布から成る基布の中途高さ位置へ上端部付近が溶着一体化された上記係止具用取付ベース帯域の下端部と中途高さ位置に、すべて同じ複数個づつの係止具を少なくとも上下二段として点在分布させたことを特徴とする。
【考案の効果】
【００２１】
請求項１の上記構成によれば、ズボンの裾丈（股下の長さ）を長短調整すべく、その基布の下端部を裏側（内側）へ折り返しても、これによって裏布を裏側（内側）から少しも包み込み状態に重合せず、その裏布が逆に基布を常時裏側（内側）から覆う自然な垂下状態にあるため、ズボンの着用時に上方から挿入する足が、その基布の裏側（内側）へ張り出す段差部へ引っ掛かり、強制的に押し下げてしまうおそれはない。
【００２２】
その結果、ズボンの着用を誰でもすばやく円滑に行え、その長短調整状態を保つ係止具が、不慮に解除されてしまうおそれもない。上記の調整をズボンの購入者がいつでも自由に行え、また上記係止具はズボンの表面に見苦しく露出しないので、見栄えの良好さも保てるのである。
【００２３】
その場合、請求項２の構成を採用するならば、ズボンの裾丈を上下二段として、そのほぼ均一な調整寸法での長く又は短かく調整することができ、使用上の利便性が向上する。
【００２４】
請求項３の構成を採用するならば、上記基布の下端部を水平な癖付け部が付与された折り目の稜線から、シャープ（扁平）なＶ字状に折り返すことができ、いたずらな円弧状に弯曲する（膨らみ嵩張る）外観体裁の悪化を予防し得る効果がある。
【００２５】
また、請求項４の構成を採用するならば、そのハトメホックから成る係止具の個数により、その全体の係脱操作を誰でもすばやく便利に行え、それにも拘らず係止状態（裾丈の調整状態）が容易に解除しない効果を得られる。
【００２６】
更に、請求項５の構成を採用するならば、雨衣のズボンに適用して、有効である。
【図面の簡単な説明】
【００２７】
【図１】本考案のズボンにおける裾丈の段階的な調整状態を示す側面図である。
【図２】ズボンの基布と裏布とを分離した状態の部分拡大断面図である。
【図３】同じく基布と裏布とを一体結合した状態の図２に対応する部分拡大断面図である。
【図４】図３の４−４線に沿う拡大断面図である。
【図５】図３の裾丈が最も長い状態から中間長さの状態へ、裾丈を短かく調整した状態の部分拡大断面図である。
【図６】裏側へ折り返した基布側の係止具と、常時垂下した状態にある裏布側の係止具とが向かい合う対面状態を示す部分拡大断面図である。
【図７】図５の７−７線に沿う拡大断面図である。
【図８】図５の裾丈が中間長さの調整状態から最も短かい長さの状態へ、裾丈を更に短かく調整した状態の部分拡大断面図である。
【考案を実施するための形態】
【００２８】
以下、図面に基いて本考案の好適な実施形態を詳述すると、図１〜８は雨衣のズボン（Ａ）を例示しており、（１１）はそのズボン（Ａ）の基布であって、ナイロンやポリエステル、その他の合成繊維の織布から成り、その表面（外面）には撥水性が与えられている一方、裏面（内面）にはポリ塩化ビニール系樹脂（ＰＶＣ）ラミネート又はポリウレタン系樹脂（ＰＵ）コーティングなどによる防水性が与えられている。（１１ｆ）はその表面の基層、（１１ｂ）は裏面の防水層である。
【００２９】
また、（１２）は同じくズボン（Ａ）の裏布（内布）として縁取り状態に縫い付けられた全体的な一枚物のメッシュ（網布）であり、これによって通気性を得られるようになっているが、そのメッシュ（裏布）（１１）の下端部には後述する係止具の取付ベース帯域（１２ａ）となる上記基布（１１）と同様な織布の付属裏布（内布）が縫い付けられている。（１３）はその係止具用取付ベース帯域（１２ａ）となる付属裏布における上端部の縫い付け糸を示している。
【００３０】
但し、雨衣のような通気性を求められないズボン（Ａ）である場合には、上記裏布（内布）（１２）としてのメッシュ（網布）を採用せず、上記係止具の取付ベース帯域（１２ａ）となる付属裏布も含む裏布（内布）（１２）の全体を、上記基布（１１）と同様な各種合成繊維の織布から形成することができる。本考案は雨衣以外のズボン（Ａ）についても適用できる趣旨である。
【００３１】
何れにしても、上記基布（１１）の裾丈（股下の長さ）（Ｌ１）は裏布（１２）の裾丈（股下の長さ）（Ｌ２）よりも長く、その裏布（１２）の下端部が基布（１１）の下端部から表側（外側）へ見苦しく張り出し露呈することはない。そのため、基布（１１）の裾丈（Ｌ１）がズボン（Ａ）の裾丈となる。その基布（１１）の裾丈（Ｌ１）と裏布（１２）の裾丈（Ｌ２）との長短差（Ｌ３）は、例えば約４．５cmや約６．０cmである。
【００３２】
上記基布（１１）の下端部は一定の長さ（Ｌ４）分だけ、裏側（内側）への連続Ｕターン状に折り返し重合されており、その折り返し先端（上端）が縫い付けられた状態にある。（１４）はその上端の縫い付け糸である。
【００３３】
そして、その基布（１１）における折り返し重合下端部（１５）の表面（外面）には、係脱自在に係止する雌雄一対から成る係止具（１６）（１７）の何れか一方（図例では雌側の係止具（１６））が、上下方向から見て全体的なほぼ放射対称型に点在分布する複数個として、取り付け固定されている。つまり、基布（１１）がその裾丈（Ｌ１）の最も長く垂下している時、その折り返し重合下端部（１５）に取り付け固定されている上記係止具（１６）は、表向く（外向く）状態にある。
【００３４】
その係止具（１６）（１７）としては雌雄一対から成るものである限り、スナップや面ファスナーなどでもさしつかえないが、特にハトメホック（ドット釦）の合計３個を採用することが好ましい。その全体の係脱操作をすばやく軽快に行え、それにも拘らず容易に解除しない安定性を確保できるからである。
【００３５】
（１８）は上記裏布（内布）（１２）の下部をなす係止具用取付ベース帯域（１２ａ）の上端部又はその付近と、基布（１１）の対応する中途高さ位置との剥離強度を向上するための一体結合部であり、図示の実施形態では基布（１１）の裏面にポリウレタン系樹脂コーティングされた防水層（１１ｂ）と、上記係止具用取付ベース帯域（１２ａ）の表面とに各々貼り付けられたシームテープ（１９）（２０）同士を、高周波ウエルダー（図示省略）により加圧・溶着しているが、上記防水層（１１ｂ）がポリ塩化ビニール系樹脂ラミネートから成る場合には、上記シームテープ（１９）（２０）を介在させることなく、高周波ウエルダーでの直かに加圧・溶着しても良く、更に加えて上記防水層（１１ｂ）だけに裏側から縫い付けて、一体係合部（１８）がズボン（Ａ）の表面から見苦しく露呈しないように保っても良い。
【００３６】
上記裏布（内布）（１２）における係止具用取付ベース帯域（１２ａ）の下端部は一定の長さ（Ｌ５）分だけ、上記基布（１１）の下端部とは逆に、表側（外側）への連続Ｕターン状に折り返し重合されており、その折り返し先端（上端）がやはり縫い付け糸（２１）によって、縫い付けられた状態にある。
【００３７】
そして、その裏布（内布）（１２）の係止具用取付ベース帯域（１２ａ）における折り返し重合下端部（２２）の表面（外面）には、上記基布（１１）側の係止具（１６）と係脱自在に係止する他方（図例では雄側）の係止具（１７）が、その基布（１１）側の係止具（１６）と対応位置する全体的なほぼ放射対称型に点在分布する複数個（好ましくは合計３個）として、取り付け固定されている。
【００３８】
つまり、基布（１１）の下端部を裏側（内側）へ折り返した時に裏向く（内向く）こととなる一方の係止具（１６）と、裏布（内布）（１２）における係止具用取付ベース帯域（１２ａ）の下端部から常時表向く（外向く）状態にある他方の係止具（１７）とが図６のように対面し、その雌雄一対として互いに係止（凹凸嵌合）し、その人為的な解除も行えるようになっているのである。
【００３９】
更に、上記裏布（１２）における係止具用取付ベース帯域（１２ａ）の下端部から、その裏布（１２）の裾丈（Ｌ２）と上記基布（１１）の裾丈（Ｌ１）との長短差（Ｌ３）にほぼ等しい間隔距離（Ｈ）を保つ中途高さ位置の表面（外面）には、上記折り返し重合下端部（２２）側の係止具（１７）と同じ他方（図例では雄側）の係止具（１７）が、やはり基布（１１）側の係止具（１６）と対応位置する全体的なほぼ放射対称型に点在分布する複数個（好ましくは合計３個）として取り付け固定されている。
【００４０】
そのため、基布（１１）の下端部を裏側（内側）へ折り返した時に裏向く（内向く）こととなる一方の係止具（１６）と、裏布（１２）における係止具用取付ベース帯域（１２ａ）の中途高さ位置から常時表向く（外向く）状態にある他方の係止具（１７）とが、やはり図６のように対面し、その雌雄一対として係脱自在に係止（凹凸嵌合）し得るのである。
【００４１】
つまり、裏布（１２）における係止具用取付ベース帯域（１２ａ）の中途高さ位置に点在分布する係止具（１７）と、同じく下端部に点在分布する係止具（１７）とを選択使用して、上記基布（１１）側の係止具（１６）と係脱自在に係止（雌雄嵌合）させることにより、ズボン（Ａ）の裾丈（股下の長さ）（Ｌ１）を段階的に長短調整できるようになっているのである。
【００４２】
（２３）は上記係止具用取付ベース帯域（１２ａ）の中途高さ位置へ複数個の係止具（１７）を点在分布状態に取り付けるための添え膜片であって、円形の透明合成樹脂フィルムやテープなどから成り、上記裏布（１２）の折り返し重合下端部（２２）や上記基布（１１）の折り返し重合下端部（１５）と同様な補強機能やほつれ防止機能などを果している。
【００４３】
図示実施形態の場合、裏布（１２）における係止具用取付ベース帯域（１２ａ）の折り返し重合下端部（２２）のみならず、同じく係止具用取付ベース帯域（１２ａ）の言わば一段となる中途高さ位置にも、悉く同じ係止具（１７）の複数個を取り付け固定することにより、その上下二段での選択使用に基き、ズボン（Ａ）の裾丈（股下の長さ）（Ｌ１）を長短調整できるようになっているが、上記係止具用取付ベース帯域（１２ａ）の中途高さ位置へ複数個づつの係止具（１７）を、二段以上に増設して、ズボン（Ａ）の裾丈（股下の長さ）（Ｌ１）をその上中下の三段以上に長短調整できるように定めても良い。
【００４４】
また、図示の実施形態では基布（１１）の折り返し重合下端部（１５）側に雌側の係止具（１６）を、裏布（１２）における係止具用取付ベース帯域（１２ａ）の中途高さ位置側や折り返し重合下端部（２２）側に雄側の係止具（１７）を各々取り付け固定しているが、その係止具（１６）（１７）同士の雌雄関係は図示との逆であっても良く、要するに雌雄一対として係脱自在に係止（凹凸嵌合）し得る対応関係にあれば足りる。
【００４５】
図１（イ）（ロ）（ハ）は上記ズボン（Ａ）における裾丈（股下の長さ）（Ｌ１）の段階的な調整状態を示しており、その裾丈（Ｌ１）の最も長い状態（図１（イ）や図３）から言わば第１段階として、例えば上記基布（１１）の裾丈（Ｌ１）と裏布（１２）の裾丈（Ｌ２）との長短差（Ｌ３）における約半分の寸法（例えば約２．５cmや約３．０cm）に相当する中間長さの状態（図１（ロ）や図５）へ、裾丈（Ｌ１）を短かく調整するに当っては、図３のように最も長く垂下している基布（１１）の下端部を、その図３から図５のように、裏側（内側）へのＵターン状に折り返す。（Ｘ１−Ｘ１）はその第１段階の裏側（内側）に向かう折り目を示している。
【００４６】
そうすれば、その基布（１１）の折り返し重合下端部（１５）にある一方（雌側）の係止具（１６）が、当初の表向き（外向き）状態から裏向く（内向く）状態となって、裏布（１２）における係止具用取付ベース帯域（１２ａ）の折り返し重合下端部（２２）から常時表向く（外向く）状態にある他方（雄側）の係止具（１７）と対面するため、その点在分布している複数個の係止具（１６）（１７）同士を、図５、７のように悉く係止（雌雄嵌合）するのである。
【００４７】
その結果、ズボン（Ａ）の裾丈（Ｌ１）は図１（イ）や図３の最も長い状態から、図１（ロ）や図５の中間長さ状態に短かくなるが、その調整状態では基布（１１）の裏側（内側）へ折り返された先端（上端）が、その裏側（内側）から裏布（１２）によって被覆され、段差部を張り出し形成することはないため、ズボン（Ａ）の着用時に挿入する足が引っ掛かるおそれはなく、その着用をすばやく円滑に行え、また上記係止具（１６）（１７）同士の係止状態が不慮に解除されてしまうおそれもない。
【００４８】
次に、ズボン（Ａ）の裾丈（Ｌ１）が図１（ロ）や図５に示す中間長さの状態から第２段階として、例えば上記基布（１１）の裾丈（Ｌ１）と裏布（１２）の裾丈（Ｌ２）との長短差（Ｌ３）における約半分の寸法（例えば約２．５cmや約３．０cm）に相当する最も短かい状態（図１（ハ）や図８）へ、裾丈（Ｌ１）を更に短かく調整する場合には、図５のような裏布（１２）における係止具用取付ベース帯域（１２ａ）の折り返し重合下端部（２２）にある雄側の係止具（１７）から、基布（１１）の折り返し重合下端部（１５）にある雌側の係止具（１６）を取りはずして、その基布（１１）の下端部を図５から図８のように上方へ、更に裏側（内側）へ深く折り返すことにより、その折り返し重合下端部（１５）にある上記雌側の係止具（１６）を、裏布（１２）における係止具用取付ベース帯域（１２ａ）の中途高さ位置にある雄側の係止具（１７）へ、選択的に係止（凹凸嵌合）させるのである。（Ｘ２−Ｘ２）はその第２段階の裏側（内側）に向かう折り目を示している。
【００４９】
その場合でも、基布（１１）側の係止具（１６）と裏布（１２）側の係止具（１７）とは、その基布（１１）の下端部を上記折り目（Ｘ２−Ｘ２）から裏側（内側）へ折り返すことにより、自づと向かい合い対面することになるため、その複数個をすばやく確実に係止することができる。
【００５０】
上記基布（１１）の下端部にある係止具（１６）と裏布（１２）における係止具用取付ベース帯域（１２ａ）の中途高さ位置にある係止具（１７）とが係止されると、ズボン（Ａ）の裾丈（Ｌ１）が図８のように最も短かく調整されるが、その調整状態でも裏布（１２）の下端部が基布（１１）の下端部から表側（外側）へ張り出し露呈することはなく、上記係止具（１６）（１７）もズボン（Ａ）の表面へ見苦しく露出しないため、ズボン（Ａ）の外観体裁を阻害することはない。
【００５１】
何れにしても、上記ズボン（Ａ）における裾丈（股下の長さ）（Ｌ１）の長短調整状態を示す図５、８から確認できるように、そのズボン（Ａ）の基布（１１）はその下端部から裏側（内側）へ折り返されるも、裏布（１２）の係止具用取付ベース帯域（１２ａ）を裏側（内側）から少しも包み込み状態に重合せず、その裏布（１２）は常時自然と垂下した状態にある。
【００５２】
そのため、ズボン（Ａ）の裾丈（Ｌ１）を調整した状態のもとで、上記基布（１１）を裏側( 内側) へ折り返した第１、２段階の折り目（Ｘ１−Ｘ１）（Ｘ２−Ｘ２）が、円弧状に弯曲していたずらに膨らみ（嵩張り）、見栄えを悪くすることはない。
【００５３】
この点、特に雨衣のズボン（Ａ）において、その基布（１１）の防水層（１１ｂ）が比較的厚肉なポリ塩化ビニール系樹脂ラミネートから成る場合には、上記折り目（Ｘ１−Ｘ１）（Ｘ２−Ｘ２）からの折り返しが難しくなり、見栄えや作業上のフットワークを悪くするおそれがあるので、基布（１１）の裏側（内側）から上記折り目（Ｘ１−Ｘ１）（Ｘ２−Ｘ２）を高周波ウエルダー（図示省略）での型押しにより、予じめシャープな稜線から扁平なＶ字状に折り返すことができる水平の癖付け部（２４）を列設しておくことが好ましい。
【００５４】
上記基布（１１）の防水層（１１ｂ）が比較的薄肉なポリウレタン系樹脂コーティングから成る雨衣のズボン（Ａ）である場合には、上記癖付け部（２４）となるシームテープ（図示省略）をその折り目（Ｘ１−Ｘ１）（Ｘ２−Ｘ２）に沿って裏側（内側）から貼り付け固定するにとどめても良い。このような癖付け部（２４）の付与は、雨衣以外のズボン（Ａ）についても適用することが望ましい。その癖付け部（２４）がズボン（Ａ）の表面へ露出しないこととも相俟って、外観体裁の向上などに役立つからである。
【００５５】
尚、ズボン（Ａ）の裾丈（Ｌ１）が図５の中間長さにある状態から、図８の最も短かい状態へ調整する場合として説明したが、図３の最も長い状態から一挙に図８の最も短かい状態へ調整することも、ほぼ同じ方法によって行うことができる。また、雌雄一対の係止具（１６）（１７）は係脱自在に係止されるものであるため、逆に図８の最も短かい状態から図３の最も長い状態へ、ズボン（Ａ）の裾丈（Ｌ１）を段階的に調整できることは言うまでもない。更に、その段階的な調整寸法は必らずしも均一であることを要さず、或る程度の相違・変化があってもさしつかえない。
【符号の説明】
【００５６】
（１１）・基布
（１２）・裏布
（１２ａ）・係止具用取付ベース帯域
（１３）（１４）（２１）・縫い付け糸
（１５）（２２）・折り返し重合下端部
（１６）（１７）・係止具
（１８）・一体結合部
（１９）（２０）・シームテープ
（２３）・添え膜片
（２４）・癖付け部
（Ａ）・ズボン
（Ｈ）・間隔距離
（Ｌ１）・基布の裾丈
（Ｌ２）・裏布の裾丈
（Ｌ３）・長短差
（Ｌ４）・折返し重合長さ
（Ｌ５）・折返し重合長さ
（Ｘ１−Ｘ１）（Ｘ２−Ｘ２）・折り目
【図１】
0003211643.tif 000003
【図２】
0003211643.tif 000004
【図３】
0003211643.tif 000005
【図４】
0003211643.tif 000006
【図５】
0003211643.tif 000007
【図６】
0003211643.tif 000008
【図７】
0003211643.tif 000009
【図８】
0003211643.tif 000010